(57)【要約】【課題】  樹脂フイルムなどの処理物の均一な熱処理を可能にするとともに、熱交換器やポンプを小型化することのできる熱媒通流ローラを提供することを目的とする。【解決手段】  円筒状のロールシェル１１の肉厚内部に、ロールシェル１１の長手方向に伸びる気液2相の熱媒体１５を封入する密閉室１３を、ロールシェル１１の外周面に沿って複数形成すると共に、その密閉室１３と並べてロールシェル１１の肉厚内部に熱媒通流路１４を形成し、その熱媒通流路１４内に処理物を加熱又は奪熱するための熱媒流体を流す。これにより熱媒流体の出入り口間における温度差にかかわらず処理物を均一に加熱又は奪熱処理することができ、その温度差の低減に要する流量を減少させることができる。【選択図】    図１
2006207825.tif 000002
【特許請求の範囲】
【請求項１】
熱媒通流路を有し、前記熱媒通流路を流れる熱媒流体により表面に当接する処理物を加熱又は奪熱処理する熱媒通流ローラであって、ローラの肉厚内部に、ローラの長手方向に伸びる気液２相の熱媒体を封入する密閉室をローラの外周面に沿って複数設けると共に、前記ローラの肉厚内部に、ローラの長手方向に伸びる熱媒流体を通流する熱媒通流路をローラの外周面に沿って複数設けてなることを特徴とする熱媒通流ローラ。
【請求項２】
隣り合う密閉室間に熱媒通流路となる熱媒通流貫通孔を設けたことを特徴とする請求項１に記載の熱媒通流ローラ。
【請求項３】
ローラの中空内に電磁発熱機構を設けたことを特徴とする請求項２に記載の熱媒通流ローラ。
【発明の詳細な説明】
【技術分野】
【０００１】
本発明は、流体を熱媒体として樹脂フィルムなどの処理物を加熱又は奪熱処理するローラに関する。
【背景技術】
【０００２】
樹脂フィルムなどの処理物をローラに掛け、ローラに当接して通過する間に処理物を所定の温度に加熱したり、高温の処理物を所定の温度にまで奪熱することが行われている。加熱処理する場合、ローラは加熱処理に必要な温度に高められ、奪熱処理する場合、処理物からの奪熱作用によってローラ自体の温度が上昇するので、処理物の冷却に適応する温度までローラを冷却する。いずれの場合も熱を移送する媒体を必要とし、その媒体として流体たとえば油が使用されている。すなわち、適温の流体をローラの内部を通過させ、この流体でローラを加熱又はローラから奪熱する（以下、このようなローラを熱媒通流ローラという。）ようにしている。
【０００３】
図６はこのような熱媒通流ローラの一例の概略構成を示すもので、図６において、１はロールシェル、２は回転駆動軸、３は中子、４はロータリジョイント、５は貯油タンク、６は油（熱媒流体）、７は加熱又は冷却用熱交換器、８は温度センサ、９はポンプ、１０は樹脂フィルムなどの処理物である。ロールシェル１は円筒状をなし、その中空内部に中子３が配置され、中子３の中央部を貫通して熱媒通流路３ａが形成されている。熱媒通流路３ａは回転駆動軸２内を経てロータリジョイント４の流入口に連結され、ロールシェル１の内周壁と中子３の外周壁との間で形成された熱媒通流路１ａは回転駆動軸２内を経てロータリジョイント４の出口に連結されている。
【０００４】
すなわち、貯油タンク５の油６は加熱又は冷却用熱交換器７を通り、所定の温度にされ、ポンプ９によってロールシェル１内に送られ、熱媒通流路３ａおよび１ａを通流した油６は貯油タンク５へ排出される。主として熱媒通流路１ａを通流する間にロールシェル１は所定の温度に維持され、ロールシェル１の表面に当接した処理物１０を加熱又は奪熱する。
【発明の開示】
【発明が解決しようとする課題】
【０００５】
ところで、このような熱媒通流ローラでは、ローラ（ロールシェルに回転駆動軸を連結したもの）内に流入する熱媒流体の温度と処理物の加熱後または奪熱後に流出する熱媒流体の温度との間に温度差が発生し、その温度差はローラの表面に現れるため、ローラの表面に当接した処理物のローラの軸心に沿う長手方向に対し、均一な熱処理ができないという問題がある。この問題を解消するために、従来はこの温度差を減らすために、温度差に応じてローラ内を通流する熱媒流体の流量を増加するようにしている。  そのために加熱又は冷却用熱交換器やポンプが大型化せざるを得ないという問題があった。
【０００６】
本発明は、このような問題を解消すべくなされたもので処理物の均一な熱処理を可能にするとともに、熱交換器やポンプを小型化することのできる熱媒通流ローラを提供することを目的とする。
【課題を解決するための手段】
【０００７】
本発明は、熱媒通流路を有し、前記熱媒通流路を流れる熱媒流体により表面に当接する処理物を加熱又は奪熱処理する熱媒通流ローラであって、ローラの肉厚内部に、ローラの長手方向に伸びる気液２相の熱媒体を封入する密閉室をローラの外周面に沿って複数設けると共に、前記ローラの肉厚内部に、ローラの長手方向に伸びる熱媒流体を通流する熱媒通流路をローラの外周面に沿って複数設けてなることを主な特徴とする。
【発明の効果】
【０００８】
本発明では、ローラの肉厚内部にローラの長手方向に伸びる気液2相の熱媒体を封入する密閉室を設け、その密閉室と並んでローラの肉厚内部に熱媒通流路を設けているので、ローラ内に流入する熱媒流体の温度と処理物の加熱後または奪熱後に流出する熱媒流体の温度との間に温度差が発生しても、気液2相の熱媒体の潜熱の移動により、ローラの軸心に沿う長手方向の表面温度が均一化し、また熱媒流体の伝熱も速く、これによって熱媒流体の流量を大幅に低減することができ、小さい配管およびポンプの採用によって設備費を削減することが可能となり、  配管の放熱量の低減とポンプ容量の低下によって、省エネルギーを達成することができる。
【発明を実施するための最良の形態】
【０００９】
処理物の均一な熱処理を可能にするとともに、熱交換器やポンプを小型化することのできる熱媒通流ローラを提供する目的を、中空ローラの肉厚内に気液2相の熱媒体を封入する密閉室と、その密閉室と並んでローラの肉厚内部に熱媒通流路を設けることのより実現した。
【実施例】
【００１０】
以下本発明の実施例について図を参照して説明する。図１は実施例に係る熱媒通流ローラの縦断面図、図２は部分的に示す同横断面図、図３は動作説明図であり、（ａ）は加熱時、（ｂ）は奪熱時を示す。なお、図６に示すロータリジョイント４、貯油タンク５、加熱又は冷却用熱交換器７、温度センサ８およびポンプ９からなる油（熱媒流体）の循環経路については図では省略している。
【００１１】
図１ないし図３において、１０は樹脂フィルムなどの処理物（図３参照）、  １１はロールシェル、１２は回転駆動軸、１３は密閉室、１４は熱媒通流管、１５は気液2相を形成する熱媒体である。
【００１２】
ロールシェル１１は円筒状を成し、長手方向の両側の端部は回転駆動軸１２のフランジ１２ａに連結固定されている。密閉室１３はロールシェル１１の肉厚内に、たとえばロールシェル１１の長手方向の端縁からその長手方向にドリルで孔を形成し、その孔に気液2相の熱媒体となる適量の水１５などを注入して開口部を閉塞することにより形成され、図２に示すように適宜間隔を隔ててローラの外周面に沿って複数個設けられている。
【００１３】
熱媒通流管１４は密閉室１３の内部を長手方向に沿って貫通し、ロールシェル１１の長手方向の両側の端縁に伸びている。回転駆動軸１２およびそのフランジ１２ａには熱媒通流孔が形成され熱媒通流管１４はこの熱媒通流孔と連通している。すなわち、図示しない加熱又は冷却用熱交換器、ポンプおよびロータリジョイントを経て送り込まれたロールシェル１１を加熱し、または奪熱するための油などの熱媒流体は、一方の回転駆動軸１２およびそのフランジ１２ａの熱媒通流孔を経て熱媒通流管１４を通り、他方のフランジ１２ａおよび回転駆動軸１２の熱媒通流孔およびロータリジョイントを経て貯油タンクへ排出される。  
【００１４】
樹脂フィルムなどの処理物１０を加熱する場合、所定の温度に加熱した熱媒流体を用いるが、この熱媒流体が熱媒通流管１４を通過すると、図３（ａ）に示すように密閉室１３内の熱媒体１５が加熱気化し、その熱はロールシェル１１を介して処理物１０を加熱する。熱を奪われた気体は液化し、再び熱媒流体により加熱され加熱気化し、その熱はロールシェル１１を介して処理物１０を加熱する。この動作が繰り返される。処理物１０を加熱する際、加熱気化した熱は処理物１０が当接している温度の低い側へと移動し、熱媒流体の流入側の温度が高く、流出側の温度が低いという温度差が発生しても、処理物１０をローラの軸心に沿う長手方向に対して均一な加熱処理ができる。
【００１５】
また、樹脂フィルムなどの高温の処理物１０を所定の温度に奪熱する場合、より温度の低下を防ぐために所定の温度に加熱した熱媒流体を用いるが、この熱媒流体が熱媒通流管１４を通過すると、図３（ｂ）に示すように処理物１０により加熱されたロールシェル１１の熱は密閉室１３内の気液2相の熱媒体に伝達され、熱媒通流管１４を通過する熱媒流体により所定の温度に冷却される。この場合、熱媒流体の流入側の温度が低く、流出側の温度が高いという温度差が発生しても気体の熱は低い方に移動し、処理物１０をローラの軸心に沿う長手方向に対して均一な奪熱処理ができる。
【００１６】
なお、この実施の形態では、熱媒流体の流路が直接にロールシェル１１に接しないことからロールシェル１１の熱膨張差による機械的精度の劣化を抑制することができ、また、必要な加熱部および奪熱部に有効的に作用させることができる。
【００１７】
以上の実施例は、熱媒通流管１４を密閉室１３の内部を長手方向に沿って貫通させて熱媒流体の流路を形成しているが、熱媒流体の流路は、図４に示すように気液２相の熱媒体を収納する密閉室１３の間に、密閉室１３と平行してロールシェル１１の肉厚内を貫通して熱媒通流孔１６を形成してもよい。このように構成した熱媒通流ローラでは、ロールシェル１１の熱を熱媒通流孔１６を通過する熱媒流体により直接に加熱または奪熱するものであるが、密閉室１３内の気液２相の熱媒体の潜熱移動により図１および図２に示す熱媒通流ローラと同様に、処理物をローラの軸心に沿う長手方向に対して均一な加熱および奪熱処理ができる。
【００１８】
以上のように構成した熱媒通流ローラについて、ロールの直径３１０ｍｍ、ロール面長１１１０ｍｍ、ファン負荷運転、流体流量２．４ｍ３／ｈ、流体比重８４１ｋｇ／ｍ３  、流体比熱０．４２ｋｃａｌ／ｋｇ、流体入り口温度１７８℃、流体出口温度１６８℃、流体出入口温度差１０℃で、流体の出口側から入り口までほぼ等間隔に１４点の温度センサをロールシェル１１の表面に配置して、計測した。
【００１９】
その結果、流体の出口側から順に、１４６．８  １４８．８  ［１５０．６  １５０．８  １５０．９  １５０．９  １５０．９  １５０．８  １５０．６  １５０．７  １５０．５  １５０．３］  １４９．４  １４７．８であった。［］内の温度が気液２相の熱媒体を収納した密閉室の有効長かつ処理物幅の有効長９６０ｍｍである。この範囲での温度差は０．６℃であり、流体出入口温度差１０℃にかかわらず良好な温度分布を呈している。なお、［］外の温度は密閉室の有効外のロール有効長外部分であり、熱が回転駆動軸に奪われて温度が若干低下している。
【００２０】
ロールが放出する熱量を求めると、Ｑ（ｋｃａｌ／ｈ）＝１０×２．４×８４１×０．４２＝８４７７ｋｃａｌ／ｈ＝９．８６Ｋｗである。ここで、気液２相の熱媒体を収納した密閉室を設けずに、この温度差０．６℃を得るときの流量Ｖを求めると、Ｖ(ｍ３／ｈ)＝８４７７／（０．６×８４１×０．４２）＝４０（ｍ３／ｈ）となる。これは気液２相の熱媒体を収納した密閉室を設けた場合に比べ約１６．７倍の流体流量が必要であることを意味する。
【００２１】
したがって、気液２相の熱媒体を収納した密閉室を設けた場合には１／１６．７倍の流体流量で済み、この場合、配管およびロータリージョイントの断面積を１／１６．７とすることが可能であり、配管およびロータリージョイントに要するコストを低減することができる。また、流体流量の低減は、配管工数および設置スペースの低減につながり、コスト低減として大きなメリットがあり、さらに流路の断面積が１／１６．７となることは配管表面積が約１／４となり、配管放熱が１／４になって省エネルギーとすることができる。流体の流量が少なくすめば流体を供給するポンプも小さくてよく、流量が１／１６．７であればポンプの容量は通常１／１０程度で十分である。
【００２２】
なお、以上は流体出入口温度差１０℃とした場合であるが、流体出入口温度差１０℃とした理由は、処理物を均一に熱処理しようとするとロールの有効長における温度分布精度が通常５℃未満である必要がある。つまり流体出入口温度差５℃未満とする必要があり、流体出入口温度差５℃以上となる場合には、流体出入口温度差にしたがい流量を増加しなければ均一に熱処理することができない。
しかし、気液２相の熱媒体を収納した密閉室を設けることにより、流体出入口温度差５℃以上であっても流量を増加することなく十分に均一な熱処理が果たせることを示すためである。すなわち、流体出入口温度差１０℃でロールの有効長における温度分布精度が０．６℃であることは、ロールの有効長における温度分布精度が５℃未満までとすれば、流体出入口温度差は、５／０．６×１０＝８３．３℃と大幅な温度差とすることができ、配管、ロータリージョイントおよびポンプなどを小型化することができる顕著な効果が得られる。
【００２３】
ところで、奪熱によってローラ(厳密にはロールシェル)の表面温度が変動する際、それを熱媒流体の温度を制御することでローラの表面温度を一定に制御するが、熱媒流体の温度制御は比較的に安定的にできるのに比べ、流路壁面との熱伝達率が小さいためにローラの温度は追従せず時間遅れが発生する。この遅れを解消するために、ローラ自体をジュール発熱させる誘導発熱機構を付加すると好都合である。
【００２４】
図５は熱媒通流ローラの中空部に誘導コイルと鉄心とからなる誘導発熱機構18を配置した熱媒通流ローラを示すもので、このように誘導発熱機構を設けると、処理物の処理温度を変更した場合に迅速に対応することができる。なお、図５では図１に示す熱媒通流ローラに設けているが、図４に示す熱媒通流ローラの中空内部に配置することもできる。
【００２５】
以上の実施例では、密閉室に気液２相の熱媒体となる適量の水１５などを注入しているが、密閉室にヒートパイプを挿入するようにしてもよい。また、複数の密閉室はそれぞれ独立しているが、たとえば密閉室の両側の端部で互いに連通するようにしてもよい。その連通路を回転駆動軸のフランジ内に設けるようにしてもよい。
【図面の簡単な説明】
【００２６】
【図１】本発明の実施例に係る熱媒通流ローラを示す縦断面図である。
【図２】図１に示す熱媒通流ローラの一部の横断面図である。
【図３】図１に示す熱媒通流ローラの動作説明図である。
【図４】本発明の実施例に係る熱媒通流ローラの一部の横断面図である。
【図５】本発明の実施例に係る熱媒通流ローラの縦断面図である。
【図６】従来の熱媒通流ローラを示す縦断面図である。
【符号の説明】
【００２７】
４    ロータリジョイント
５    貯油タンク
７    加熱又は冷却用熱交換器
８    温度センサ
９    ポンプ
１０    処理物
１１    ロールシェル
１２    回転駆動軸
１３    密閉室
１４    熱媒通流管
１５    気液２相を形成する熱媒体
１６  熱媒通流孔        
１８    誘導発熱機構
【図１】
2006207825.tif 000003
【図２】
2006207825.tif 000004
【図３】
2006207825.tif 000005
【図４】
2006207825.tif 000006
【図５】
2006207825.tif 000007
【図６】
2006207825.tif 000008